(57)【特許請求の範囲】
【請求項１】
エレベーターの昇降路の下部に設けられた巻上機と、
上記巻上機に設けられた制動機と、
上記昇降路への低位レベル浸水を検出して動作する低位レベル浸水検出器と、
上記昇降路への高位レベル浸水を検出して動作する高位レベル浸水検出器と、
上記制動機とは別に設けられた、エレベーターのかごの下降を制止させるための巻上機制動喪失防止手段と、
上記昇降路の浸水時に、所定の浸水対策運転を行う浸水時制御手段と、
を備え、
上記浸水時制御手段は、上記低位レベル浸水検出器が動作すると、上記かごを上方階に移動させてエレベーターを休止し、上記高位レベル浸水検出器が動作すると、上記かごを上方階に移動させた後、上記巻上機制動喪失防止手段を付勢して上記かごの下降を制止することを特徴とするエレベーターの制御装置。
【請求項２】
巻上機制動喪失防止手段を、エレベーターの少なくともかごに設けられた非常止め装置を作動させる非常止め作動装置からなるものとしたことを特徴とする請求項１記載のエレベーターの制御装置。
【請求項３】
巻上機制動喪失防止手段を、エレベーターの主索を挟圧して制動する主索制動手段からなるものとしたことを特徴とする請求項１記載のエレベーターの制御装置。
【請求項４】
浸水時制御手段は、高位レベル浸水検出器が動作すると、エレベーターのつり合おもりが昇降路の緩衝器に支持された状態において、巻上機制動喪失防止手段を付勢することを特徴とする請求項１から請求項３の何れかに記載のエレベーターの制御装置。
【発明の詳細な説明】
【０００１】
【発明の属する技術分野】
この発明は、昇降路の浸水時の運行障害を回避する浸水対策運転を行うエレベーターの制御装置に関する。
【０００２】
【従来の技術】
例えば、実開昭６３−１９０１７４号公報に示された従来のエレベーターの制御装置には、溢水検出装置を設けてこの溢水検出装置の動作によってエレベーターのかごを上層の階へ退避させる運転装置の構成が示されている。
従来のエレベーターの制御装置は上記のような構成によって、昇降路の浸水時の運行障害を回避する浸水対策運転が行われる。
【０００３】
【発明が解決しようとする課題】
上記のような従来のエレベーターの制御装置では、昇降路の浸水状況に関わらず一定の浸水対策運転が行われる。このため、昇降路の浸水発生時に不適切な浸水対策運転が行われることがあって、エレベーター利用者の利便が損なわれるという問題点があった。
【０００４】
この発明は、かかる問題点を解消するためになされたものであり、昇降路の浸水状況に対応して適切に浸水対策運転を行うエレベーターの制御装置を得ることを目的とする。
【０００５】
【課題を解決するための手段】
この発明に係るエレベーターの制御装置においては、エレベーターの昇降路の下部に設けられた巻上機と、巻上機に設けられた制動機と、昇降路への低位レベル浸水を検出して動作する低位レベル浸水検出器と、昇降路への高位レベル浸水を検出して動作する高位レベル浸水検出器と、制動機とは別に設けられた、エレベーターのかごの下降を制止させるための巻上機制動喪失防止手段と、昇降路の浸水時に、所定の浸水対策運転を行う浸水時制御手段と、が備えられ、浸水時制御手段は、低位レベル浸水検出器が動作すると、かごを上方階に移動させてエレベーターを休止し、高位レベル浸水検出器が動作すると、かごを上方階に移動させた後、巻上機制動喪失防止手段を付勢してかごの下降を制止する。
【０００６】
また、この発明に係るエレベーターの制御装置においては、エレベーターの少なくともかごに設けられた非常止め装置を作動させる非常止め作動装置からなる巻上機制動喪失防止手段が設けられる。
【０００７】
また、この発明に係るエレベーターの制御装置においては、エレベーターの主索を挟圧して制動する主索制動手段からなる巻上機制動喪失防止手段が設けられる。
【０００８】
また、この発明に係るエレベーターの制御装置においては、浸水時制御手段は、高位レベル浸水検出器が動作すると、エレベーターのつり合おもりが昇降路の緩衝器に支持された状態において、巻上機制動喪失防止手段を付勢する。
【０００９】
【発明の実施の形態】
実施の形態１．
図１及び図２は、この発明の実施の形態の一例を示す図で、図１はエレベーターの制御装置を概念的に示す全体構成図、図２は図１の装置の動作を説明するフローチャートである。図において、１は検出手段で、エレベーターの昇降路（図示しない）の下部から順に１〜Ｎからなり、昇降路浸水時に複数の浸水水位を逐次検出して動作する複数の浸水検出器２によって構成されている。
【００１０】
３は浸水時制御手段で、浸水管制起動手段４、経過時間計測手段５、運転モード選択手段６及び浸水運転指令手段７が設けられている。８はエレベーターの制御盤で、巻上機９、主索制動装置１０及び非常止め作動装置１１が接続されている。１２は昇降路ピットに設けられた緩衝器である。
【００１１】
上記のように構成されたエレベーターの制御装置によるエレベーターの運転を図２に示すフローチャートによって説明する。すなわち、ステップ１０１で浸水検出器２の出力を取り込みステップ１０２へ進む。ステップ１０２で後述するＷ＝１であればステップ１０３へ進み、またＷ＝１でなければステップ１０４へ進む。
【００１２】
そして、ステップ１０３で昇降路の浸水がなく浸水検出器２が動作していなければステップ１０５へ進んでＴ＝０と経過時間計測の初期値が設定され、またステップ１０３で昇降路の浸水があり浸水検出器２が動作していれば、ステップ１０６へ進みＷ＝１と設定される。次いで、ステップ１０７により経過時間計測手段５が起動する。
【００１３】
そして、ステップ１０８により後述する浸水対策運転モードが選択されてステップ１０９へ進み、選択された浸水対策運転モードによる浸水対策運転が指令される。次いで、ステップ１１０へ進んでエレベーターの監視部門に浸水対策運転の実施が通知される。また、ステップ１０４において、昇降路の比較的に上方に配置された例えば第三の浸水レベルの浸水検出器２が動作していれば、ステップ１１１へ進み、また第三の浸水レベルの浸水検出器２が動作していなければ、ステップ１１２へ進む。
【００１４】
そして、ステップ１１１において最寄り階停止運転モードが選択されてステップ１１３へ進み、最寄り階停止運転モードによる浸水対策運転が指令される。次に、ステップ１１４へ進んで巻上機制動喪失対策手段、例えば主索制動装置１０の動作が指令される。
【００１５】
また、ステップ１１２において、第三の浸水レベルの浸水検出器２よりも下方に配置された第二の浸水レベルの浸水検出器２が動作していれば、ステップ１１５へ進み、また第二の浸水レベルの浸水検出器２が動作していなければ、ステップ１１６へ進む。そして、ステップ１１５において第三の浸水レベルの浸水検出器２と第二の浸水レベルの浸水検出器２の検出動作時間間隔Ｔが第一所定値Ｔ１以上であればステップ１１７へ進み、また第一所定値Ｔ１未満であればステップ１１８へむ。
【００１６】
そして、ステップ１１７において、浸水時制御手段３により中度浸水対策運転、例えば最寄り階停止モード、すなわちエレベーターのかご（図示しない）が走行中であれば、登録された呼びに関わらず停止可能な最も近くの階床に停止して戸開し、以後戸閉して待機する。そして、その階床に停止を継続し、必要に応じてかご内の戸開釦を操作して戸開できて走行を停止した状態で、万一かご内に乗客が取り残されたとしても、戸開釦を操作して脱出できるモードが選択される。次いで、ステップ１１９へ進んで最寄り階停止モードによる運転が行われる。
【００１７】
また、ステップ１１６における第二の浸水レベルの浸水検出器２よりも下方に配置された第一の浸水レベルの浸水検出器２が動作していることを介し、ステップ１２０へ進む。そして、ステップ１２０で第二の浸水レベルの浸水検出器２と第一の浸水レベルの浸水検出器２の検出動作時間間隔Ｔが第二所定値Ｔ２未満であれば、ステップ１１８へ進み、また第二所定値Ｔ２以上であればステップ１２１へ進む。
【００１８】
そして、ステップ１１８において、浸水時制御手段３によって重度浸水対策運転、例えば退避運転モード、すなわち昇降路内の浸水によって最上階等の予め決められた階床にかごを退避させる運転であって、かごが戸閉停止中であればそのままかごを予め決められた階床に移動させる。
【００１９】
また、かごが戸開中又は走行中であればその運転に対して、一例としてかごが走行中でその方向に所定階がある場合には、他の登録された呼びに応答せず直接予め決められた階床まで運転して休止させる。また、他の例として予め決められた階床がその運転方向の反対方向にある場合には、最寄り階に停止後、反転走行して予め決められた階床まで運転して休止させるモードが選択される。次いで、ステップ１２２へ進んで退避運転モードによる運転が行われる。
【００２０】
また、ステップ１２１では、浸水時制御手段３によって軽度浸水対策運転、例えば浸水低速運転モード、すなわち昇降路内の浸水が生じているものの、新たな浸水が発生しないか又は浸水量が少なく浸水水位の上昇が進まない場合には、エレベーターの長時間休止を回避して運転を早期に再開して乗客の利便を図るモードが選択される。
【００２１】
すなわち、浸水低速運転モードの選択時においては、昇降路内に少ないながら浸水があり、運転を停止すべき浸水水位になる恐れがあり、また昇降路内のエレベーター機器（図示しない）の一部に水損が生じている可能性もあることから、少なくとも通常運転時よりも運転速度を低下させて必要時に直ちに停止できる状態で運転される。次いで、ステップ１２３へ進んで浸水低速運転モードによる運転が行われる。
【００２２】
以上説明したように昇降路に浸水が発生したときに、複数の浸水水位を逐次検出して動作する検出手段１の低位浸水レベルと中位浸水レベルの検出動作時間間隔が第二所定値以上の場合には、軽度浸水対策運転、例えば浸水低速運転モードによる運転が行われる。また、検出手段１の中位浸水レベルと高位浸水レベルの検出動作時間間隔が第一所定値以上のとき場合には、中度浸水対策運転、例えば最寄り階停止モードによる運転が行われる。
【００２３】
また、検出手段１の中位浸水レベルと高位浸水レベルの検出動作時間間隔が第一所定値未満のとき又は検出手段１の低位浸水レベルと中位浸水レベルの検出動作時間間隔が第二所定値未満の場合、すなわち急速に浸水水位が上昇するときには、重度浸水対策運転、例えば退避運転モードによる運転が行われる。
【００２４】
このように、昇降路の浸水状況に応じて適切な浸水対策運転が行われるので、浸水発生時にエレベーターの運転が不能になってかご内に乗客が閉じ込められたり、長時間にわたってエレベーターが使用不能になったりする不具合を防ぐことができる。
【００２５】
また、図１及び図２の実施の形態において、浸水低速運転モードによる運転時において検出手段１によりさらに上方の高位浸水レベルが検出されたときに、昇降路の予め決められた階床にエレベーターのかごを退避させる浸水対策運転を行う浸水時制御手段３を設ける。これによって、浸水水位の上昇によるエレベーターの機器の水損を防止し、長時間にわたってエレベーターが使用不能になる不具合を防ぐことができる。
【００２６】
実施の形態２．
図３〜図５は、この発明の他の実施の形態の一例を示す図で、図３はエレベーターの概念的縦断面図、図４は図３のエレベーターの浸水検出装置の正面図、図５は図３のエレベーターの動作を説明するフローチャートである。図において、１３はエレベーターの昇降路で、乗場すなわち一階階床１４、二階階床１５及び三階階床１６が設けられている。
【００２７】
９は昇降路１３の底面に設けられた巻上機、１７は昇降路１３の上部に設けられた滑車、１８は昇降路１３を昇降するかご、１９は昇降路１３を昇降するつり合おもり、２０は主索で、一端がかご１８に連結され上昇して滑車１７に巻掛けられて下降し、巻上機９の駆動綱車に巻掛けられて上昇し、再度滑車１７に巻掛けられて下降して他端はつり合おもり１９に連結されている。
【００２８】
８は昇降路１３の底面に設置されて巻上機９に接続されたエレベーターの制御盤で、浸水時制御手段３が設けられている。２１は昇降路１３の底面に設けられた浸水検出装置で、低位レベル浸水検出器２２及び低位レベル浸水検出器２２よりも上方に配置された高位レベル浸水検出器２３が設けられている。
【００２９】
上記のように構成されたエレベーターにおいて、制御盤８によるエレベーターの運転を図５に示すフローチャートによって説明する。すなわち、昇降路１３に浸水が発生してステップ２０１で高位レベル浸水検出器２３が動作すればステップ２０２へ進み、動作しなければステップ２０３へ進む。そして、ステップ２０２において高位レベル浸水検出が記憶される。
【００３０】
次いで、ステップ２０４へ進み制御盤８の浸水時制御手段３により重度浸水対策運転、すなわちエレベーターの緊急停止が行われる。次に、ステップ２０５へ進んでエレベーターの運転が休止される。
また、ステップ２０３において高位レベル浸水検出記憶があればステップ２０６へ進み、高位レベル浸水検出記憶がなければステップ２０７へ進む。
【００３１】
そして、ステップ２０６において保守員が制御盤８の点検スイッチ操作による判断によって点検運転が行われていなければステップ２０８へ進んで、エレベーターの運転が休止される。また、点検運転が行われていればステップ２０９へ進み、制御盤８の高位レベル浸水検出記憶が消去される。
また、ステップ２０７において低位レベル浸水検出器２２が動作していなければステップ２１０へ進んでエレベーターの通常運転が行われる。
【００３２】
また、ステップ２０７において低位レベル浸水検出器２２が動作していれば、ステップ２１１へ進んで、予め制御盤８に設定された休止時間に対して、エレベーターが所定時間休止すればステップ２１２へ進み、またエレベーターが所定時間休止しなければステップ２１３へ進む。
そして、ステップ２１２において、制御盤８の浸水時制御手段３により軽度浸水対策運転、すなわちエレベーターが通常運転よりも低速走行する運転が行われる。
【００３３】
また、ステップ２１３においてかご１８が走行中であれば最寄り階に停止し、戸開してかご１８内の乗客を降ろし、所定時間が経過すると戸閉する。次いでステップ２１４へ進んで、かご１８の機器の水損を防ぐためにかご１８を上方の所定階へ走行させる。次に、ステップ２１５へ進み、エレベーターの運転が休止される。
【００３４】
以上説明したように昇降路１３に浸水が発生したときに、浸水検出装置２１の低位レベル浸水検出器２２の動作によりエレベーターが休止する。また、高位レベル浸水検出器２３の動作しなければ、すなわち高位レベル浸水検出記憶がなければ、エレベーターが所定時間休止してその後に制御盤８の浸水時制御手段３により軽度浸水対策運転、すなわちエレベーターの低速走行による通常運転が行われる。
【００３５】
そして、このときに低位レベル浸水検出器２２が不動作になっていれば、エレベーターの通常運転が再開される。したがって、昇降路１３の浸水時に浸水状況の変化に対応して早期にエレベーターの運転を再開することができ、長時間にわたってエレベーターが使用不能になる不具合を防止することができる。
【００３６】
また、昇降路１３に浸水が発生したときに、高位レベル浸水検出器２３の動作によって重度浸水対策運転、すなわちエレベーターが緊急停止して運転が休止される。そして、この運転休止状態において高位レベル浸水検出器２３の動作記憶により、点検運転が行われることによって高位レベル浸水検出器２３の動作記憶が消去されてエレベーターの運転が再開される。
【００３７】
なお、高位レベル浸水検出器２３が動作し、かつ低位レベル浸水検出器２２が動作した状態では、かご１８が最寄り階に停止して乗客を降ろし、その後に上方の所定階へ走行して運転が休止される。このように、昇降路１３の浸水状況に応じて適切な浸水対策運転が行われるので、浸水発生時にエレベーターの運転が不能になってかご内に乗客が閉じ込められたり、長時間にわたってエレベーターが使用不能になったりする不具合を少なくすることができる。
【００３８】
実施の形態３．
図６も、この発明の他の実施の形態の一例を示すエレベーターの概念的縦断面図である。図において、前述の図１〜図５と同符号は相当部分を示し、１１は非常止め作動装置からなる巻上機制動喪失対策手段、２４は昇降路１３のピット、２５はかご１８に設けられたかご非常止め装置、２６はつり合おもり１９に設けられたつり合おもり非常止め装置、２７はピット２４の浸水である。
【００３９】
上記のように構成されこエレベーターの制御装置において、昇降路１３に浸水水位の低い浸水２７が発生したときに低位レベル浸水検出器２２が動作する。この動作を介して制御盤８の浸水時制御手段３によって次に述べる軽度浸水対策運転が行われる。すなわち、かご１８を最上階に上昇させてかご１８内の乗客を退避させた後、休止モードとしエレベーターを休止させる運転が行われる。
【００４０】
また、昇降路１３の浸水２７により浸水水位が上昇すると高位レベル浸水検出器２３が動作する。この動作を介して制御盤８の浸水時制御手段３によって次に述べる重度浸水対策運転が行われる。すなわち、かご１８を最上階に上昇させてかご１８内の乗客を退避させた後、かご非常止め装置２５及びつり合おもり非常止め装置２６を巻上機制動喪失対策手段１１によって制動動作させる。これによって、ピット２４に設けられた巻上機９の制動機（図示しない）の制動能力が浸水２７により低下したり、喪失したりしても、確実にかご１８を最上階位置に保持することができる。
【００４１】
したがって、かご１８が巻上機９による制動能力不足によって下降して水没することがなく、浸水２７解消後に早急にエレベーターの運転を再開することができる。
このように、昇降路１３の浸水状況に応じて適切な浸水対策運転が行われるので、浸水発生時にエレベーターの運転が不能になってかご内に乗客が閉じ込められたり、長時間にわたってエレベーターが使用不能になったりする不具合を防ぐことができる。
【００４２】
実施の形態４．
図７も、この発明の他の実施の形態の一例を示すエレベーターの概念的縦断面図である。図において、前述の図１〜図６と同符号は相当部分を示し、１０はかご１８側で主索２０を挟圧して制動する主索制動装置１０で、制御盤８に接続されている。
【００４３】
上記のように構成されこエレベーターの制御装置において、昇降路１３に浸水水位の低い浸水２７が発生したときに低位レベル浸水検出器２２が動作する。この動作を介して制御盤８の浸水時制御手段３によって次に述べる軽度浸水対策運転が行われる。すなわち、かご１８を最上階に上昇させてかご１８内の乗客を退避させた後、休止モードとしてエレベーターを休止させる運転が行われる。
【００４４】
また、昇降路１３の浸水２７により浸水水位が上昇すると高位レベル浸水検出器２３が動作する。この動作を介して制御盤８の浸水時制御手段３によって次に述べる重度浸水対策運転が行われる。すなわち、かご１８を最上階に上昇させてかご１８内の乗客を退避させた後、主索制動装置１０が動作して主索２０を制動する。これにより、ピット２４に設けられた巻上機９の制動機の制動能力が浸水２７によって低下したり、喪失したりしても、確実にかご１８を最上階位置に保持することができる。
【００４５】
したがって、かご１８が巻上機９による制動能力不足によって下降して水没することがなく、浸水２７解消後に早急にエレベーターの運転を再開することができる。
このように、昇降路１３の浸水状況に応じて適切な浸水対策運転が行われるので、浸水発生時にエレベーターの運転が不能になってかご内に乗客が閉じ込められたり、長時間にわたってエレベーターが使用不能になったりする不具合を防ぐことができる。
【００４６】
実施の形態５．
図８も、この発明の他の実施の形態の一例を示すエレベーターの概念的縦断面図である。図において、前述の図６と同符号は相当部分を示す。
上記のように構成されこエレベーターの制御装置において、昇降路１３に浸水水位の低い浸水２７が発生したときに低位レベル浸水検出器２２が動作する。この動作を介して制御盤８の浸水時制御手段３によって次に述べる軽度浸水対策運転が行われる。すなわち、かご１８を最上階に上昇させてかご１８内の乗客を退避させた後、休止モードとしエレベーターを休止させる運転が行われる。
【００４７】
また、昇降路１３の浸水２７により浸水水位が上昇すると高位レベル浸水検出器２３が動作する。この動作を介して制御盤８の浸水時制御手段３によって次に述べる重度浸水対策運転が行われる。すなわち、かご１８を最上階に上昇させてかご１８内の乗客を退避させた後、つり合おもり１９がピット２４に設けられた緩衝器（図示しない）を押圧する位置までかご１８を上昇させる。
【００４８】
この状態で、かご非常止め装置２５を非常止め作動装置からなる巻上機制動喪失対策手段１１によって制動動作させる。これにより、つり合おもり１９が緩衝器に支持されるので、ピット２４に設けられた巻上機９の制動機（図示しない）の制動能力が浸水２７によって低下したり、喪失したりしても、確実にかご１８を最上階位置に保持することができる。
【００４９】
したがって、かご１８が巻上機９による制動能力不足によって下降して水没することがなく、浸水２７解消後に早急にエレベーターの運転を再開することができる。
このように、昇降路１３の浸水状況に応じて適切な浸水対策運転が行われるので、浸水発生時にエレベーターの運転が不能になってかご内に乗客が閉じ込められたり、長時間にわたってエレベーターが使用不能になったりする不具合を防ぐことができる。
【００５０】
【発明の効果】
この発明は以上説明したように、エレベーターの昇降路の下部に設けられた巻上機と、巻上機に設けられた制動機と、昇降路への低位レベル浸水を検出して動作する低位レベル浸水検出器と、昇降路への高位レベル浸水を検出して動作する高位レベル浸水検出器と、制動機とは別に設けられた、エレベーターのかごの下降を制止させるための巻上機制動喪失防止手段と、昇降路の浸水時に、所定の浸水対策運転を行う浸水時制御手段と、を備え、浸水時制御手段は、低位レベル浸水検出器が動作すると、かごを上方階に移動させてエレベーターを休止し、高位レベル浸水検出器が動作すると、かごを上方階に移動させた後、巻上機制動喪失防止手段を付勢してかごの下降を制止するものである。
【００５１】
これによって、昇降路に浸水が発生したときに、低位レベル浸水検出器の動作によりエレベーターのかごが上方階へ移動されて停止される。また、高位レベル浸水検出器の動作により巻上機制動喪失対策手段が付勢されて、エレベーターのかごの下降が制止される。このように、昇降路の浸水状況に応じ適切な浸水対策運転が行われるので、浸水発生時にエレベーターの運転が不能になってかご内に乗客が閉じ込められたり、巻上機の制動力喪失によりかごが下降して水没し、長時間にわたってエレベーターが使用不能になったりする不具合を防ぐ効果がある。
【００５２】
また、この発明は以上説明したように、エレベーターの少なくともかごに設けられた非常止め装置を作動させる非常止め作動装置からなる巻上機制動喪失対策手段を設けたものである。
【００５３】
これによって、昇降路に浸水が発生したときに、低位レベル浸水検出器の動作によりエレベーターのかごが上方階へ移動されて停止される。また、高位レベル浸水検出器の動作により巻上機制動喪失対策手段が付勢されて、エレベーターのかごの下降が制止される。このように、昇降路の浸水状況に応じ適切な浸水対策運転が行われるので、浸水発生時にエレベーターの運転が不能になってかご内に乗客が閉じ込められたり、巻上機の制動力喪失によりかごが下降して水没し、長時間にわたってエレベーターが使用不能になったりする不具合を防ぐ効果がある。
【００５４】
また、この発明は以上説明したように、エレベーターの主索を挟圧して制動する主索制動装置からなる巻上機制動喪失対策手段を設けたものである。
【００５５】
これによって、昇降路に浸水が発生したときに、低位レベル浸水検出器の動作によりエレベーターのかごが上方階へ移動されて停止される。また、高位レベル浸水検出器の動作により巻上機制動喪失対策手段が付勢されて、エレベーターのかごの下降が制止される。このように、昇降路の浸水状況に応じ適切な浸水対策運転が行われるので、浸水発生時にエレベーターの運転が不能になってかご内に乗客が閉じ込められたり、巻上機の制動力喪失によりかごが下降して水没し、長時間にわたってエレベーターが使用不能になったりする不具合を防ぐ効果がある。
【００５６】
また、この発明は以上説明したように、浸水時制御手段は、高位レベル浸水検出器が動作すると、エレベーターのつり合おもりが昇降路の緩衝器に支持された状態において、巻上機制動喪失防止手段を付勢するものである。
【００５７】
これによって、昇降路に浸水が発生したときに、低位レベル浸水検出器の動作によりエレベーターのかごが上方階へ移動されて停止される。また、高位レベル浸水検出器の動作によりエレベーターのつり合おもりが昇降路の緩衝器に支持された状態で、かごの下降を制止する巻上機制動喪失対策手段が付勢され、巻上機の制動機能力が浸水によって低下しても、確実にかごを上方位置に保持することができるようになる。このように、昇降路の浸水状況に応じ適切な浸水対策運転が行われるので、浸水発生時にエレベーターの運転が不能になってかご内に乗客が閉じ込められたり、巻上機の制動力喪失によりかごが下降して水没し、長時間にわたってエレベーターが使用不能になったりする不具合を防ぐ効果がある。
【図面の簡単な説明】
【図１】  この発明の実施の形態１を示す図で、エレベーターの制御装置を概念的に示す全体構成図。
【図２】  図１の装置の動作を説明するフローチャート。
【図３】  この発明の実施の形態２を示す図で、エレベーターの概念的縦断面図。
【図４】  図３のエレベーターの浸水検出装置の正面図。
【図５】  図３のエレベーターの動作を説明するフローチャート。
【図６】  この発明の実施の形態３を示す図で、エレベーターの概念的縦断面図。
【図７】  この発明の実施の形態４を示す図で、エレベーターの概念的縦断面図。
【図８】  この発明の実施の形態５を示す図で、エレベーターの概念的縦断面図。
【符号の説明】
１  検出手段、３  浸水時制御手段、５  経過時間計測手段、９  巻上機、１０  主索制動装置、１１  巻上機制動喪失対策手段（非常止め作動装置）、１３  昇降路、１４  一階階床（階床）、１５  二階階床１５（階床）、１６  三階階床（階床）、１８  かご、１９  つり合おもり、２０  主索、２２  低位レベル浸水検出器、２３  高位レベル浸水検出器。
【図１】
0004236747.tif 000002
【図２】
0004236747.tif 000003
【図３】
0004236747.tif 000004
【図４】
0004236747.tif 000005
【図５】
0004236747.tif 000006
【図６】
0004236747.tif 000007
【図７】
0004236747.tif 000008
【図８】
0004236747.tif 000009